(57)【要約】【課題】密封検体容器を密封する栓体を貫通して内部に収容される検体を吸引する検体吸引管において、密封検体容器内の圧力変動を解消することを課題とする。【解決手段】密封検体容器４１を密封する栓体４０を貫通して内部に収容される検体を吸引する検体吸引管１において、大径のパイプ５２内に小径のパイプ５１を配設し、小径のパイプ５１を検体吸引用とし、大径のパイプ５２を密封容器の大気開放用とするとともに、検体吸引管１の側面に２つの大気開放用の孔５７・５８を設け、検体吸引管１を密封検体容器４１の栓体４０に貫通させた際に、一方の大気開放用の孔が密封検体容器内に位置し、他方の大気開放用の孔が密封検体容器外に位置させる。【選択図】　　　　図６
2004003916.tif 000002
【特許請求の範囲】
【請求項１】
密封容器を密封する栓体を貫通して、前記密封容器内で液体吸排する液体吸排ノズルにおいて、
前記液体吸排ノズルは大径のパイプ内に小径のパイプを配設し、一方のパイプを液体吸排用とし、他方のパイプを密封容器内の大気開放用とすることを特徴とする液体吸排ノズル。
【請求項２】
前記小径パイプを液体吸排用とし、前記大径のパイプを大気開放用とする請求項１に記載の液体吸排ノズル。
【請求項３】
前記大径パイプの側面に孔を有することを特徴とする請求項２に記載の液体吸排ノズル。
【請求項４】
前記大径パイプの側面に複数の孔を有し、前記液体吸排ノズルが前記密封容器の栓体を貫通した状態で少なくとも一つの孔が前記密封容器内部に、他の孔の少なくとも一つが前記栓体の外側になるように配置されていることを特徴とする請求項３に記載の液体吸排ノズル。
【請求項５】
大径のパイプ内に小径のパイプを配設し、一方のパイプを試料吸引用とし、他方のパイプを密封容器内の大気解放用とする液体吸排ノズルを有し、前記液体吸排ノズルが密封容器を密封する栓体を貫通し、密封容器内を大気圧にすることを特徴とする液体吸排装置。
【請求項６】
前記大気開放用パイプの側面に孔を有していることを特徴とする請求項５に記載の液体吸排装置。
【請求項７】
前記大気開放用パイプの側面に複数の孔を有し、前記液体吸排ノズルが前記密封容器の栓体を貫通したときに、少なくとも一つの孔が前記密封容器内にあり、残りの孔のうち少なくとも一つが前記密封容器の外部にあり、前記密封容器内の圧力を大気圧にすることを特徴とする請求項６に記載の液体吸排装置。
【請求項８】
前記大気開放用パイプに接続する配管部にダンパ部を配置することを特徴とする請求項５ないし請求項７のいずれか一項に記載の液体吸排装置。
【請求項９】
密封容器を密封する栓体を貫通して、前記密封容器内で液体吸排する液体吸排ノズルにおいて、
前記液体吸排ノズルは大径のパイプ内に小径のパイプを配設し、
該大径のパイプに対して該小径のパイプを偏心もしくは内接し、
一方のパイプを液体吸排用とし、他方のパイプを密封容器内の大気開放用とすることを特徴とする液体吸排ノズル。
【請求項１０】
密封容器を密封する栓体を貫通して、前記密封容器内で液体吸排する液体吸排ノズルにおいて、
液体吸排ノズルの側面より、該液体吸排ノズルの内部空間に達した孔を設け、
液体吸排ノズルの内部空間において、該孔より下方の該孔に連通した空間容積を０．５μｌ以下、
もしくは該孔より下方の該孔に連通した空間の底面までの距離を、該孔より下方１ｍｍ以内とすることを特徴とする液体吸排ノズル。
【請求項１１】
密封容器を密封する栓体を貫通して、前記密封容器内で液体吸排する液体吸排ノズルにおいて、
液体吸排ノズルの側面より、該液体吸排ノズルの内部空間に達した孔を設け、
該液体吸排ノズルの内部空間底面と内部空間内側面とを曲面で接続したことを特徴とする液体吸排ノズル。
【請求項１２】
液体吸排ノズルが密封容器を密封する栓体を貫通し、密封容器内を大気圧にするとともに、密封容器内において液体を吸引もしくは排出する液体吸排装置であって、
液体吸排ノズルを密封容器内に挿入するに、該液体吸排ノズルに設けた２つの大気開放用孔の間に栓体が位置する状態において、該液体吸排ノズルを栓体に対して一端停止させることを特徴とする液体吸排装置。
【発明の詳細な説明】
【０００１】
【発明の属する技術分野】
本発明は、密封容器内の液体試料を吸引もしくは吐出を行う吸排管に関するものである。より詳しくは、ゴムキャップなどの栓により密封された容器内の液体試料を、栓を貫通して採取するとともに、密封容器内の圧力安定化するノズルもしくはニードルの構造に関するものである。
【０００２】
【従来の技術】
従来、密封検体容器を密封状態としたまま、検体容器内の液体試料を採取する装置が知られている。これは、密封検体容器のゴム栓に検体吸引管を突刺し、検体吸引管により液体試料を吸引採取するものである。
そして、試料を採取する際に密封検体容器の内外を連通して、検体容器内の気圧を調節するものも知られている。例えば、実開平１−１６８８６８号公報に示されるものである。
この他に、特開平９−３０４４００号公報に示される様に、並設された２本の細管を接続し、一方の細管により密封容器の内外を連通するものも知られている。
また、密封検体容器を密封状態としたまま試料を採取する装置において、ポンプ等の吸引により試料を採取する場合には、密封容器内の圧力を大気圧にすることにより、液体吸引時の定量精度が良くなるという効果が知られている。
【０００３】
【発明が解決しようとする課題】
上記の技術において、実開平１−１６８８６８号公報および特開平９−３０４４００号公報に示される技術では、ゴムキャップと細管との接触面積が大きくなり、抵抗が大きくなる。そして、特開平９−３０４４００号公報に示される技術では、従来のＯリングなどのシール部材を利用することができない。このような検体採取管を利用すると、検体吸引装置の製造コストがかかるものである。
【０００４】
【課題を解決するための手段】
本発明が解決しようとする課題は以上の如くであり、次に該課題を解決するための手段を説明する。
請求項１に記載のごとく、密封容器を密封する栓体を貫通して、前記密封容器内で液体吸排する液体吸排ノズルにおいて、
前記液体吸排ノズルは大径のパイプ内に小径のパイプを配設し、一方のパイプを液体吸排用とし、他方のパイプを密封容器内の大気開放用とする。
【０００５】
請求項２に記載のごとく、前記小径パイプを液体吸排用とし、前記大径のパイプを大気開放用とする。
【０００６】
請求項３に記載のごとく、前記大径パイプの側面に複数の孔を有するものとする。
【０００７】
請求項４に記載のごとく、前記大径パイプの側面に複数の孔を有し、前記液体吸排ノズルが前記密封容器の栓体を貫通した状態で少なくとも一つの孔が前記密封容器内部に、他の孔の少なくとも一つが前記栓体の外側になるように配置する。
【０００８】
請求項５に記載のごとく、大径のパイプ内に小径のパイプを配設し、一方のパイプを液体吸排用とし、他方のパイプを密封容器内の大気解放用とする液体吸排ノズルを有し、前記液体吸排ノズルが密封容器を密封する栓体を貫通し、密封容器内を大気圧にする液体吸排装置を構成する。
【０００９】
請求項６に記載のごとく、前記大気開放用パイプの側面に孔を有する液体吸排装置を構成する。
【００１０】
請求項７に記載のごとく、前記大気開放用パイプの側面に複数の孔を有し、前記液体吸排ノズルが前記密封容器の栓体を貫通したときに、少なくとも一つの孔が前記密封容器内にあり、残りの孔のうち少なくとも一つが前記密封容器の外部にあり、前記密封容器内の圧力を大気圧にする液体吸排装置を構成する。
【００１１】
請求項８に記載のごとく、前記大気開放用パイプに接続する配管部にダンパ部を配置する液体吸排装置を構成する。
【００１２】
請求項９に記載のごとく、密封容器を密封する栓体を貫通して、前記密封容器内で液体吸排する液体吸排ノズルにおいて、
前記液体吸排ノズルは大径のパイプ内に小径のパイプを配設し、
該大径のパイプに対して該小径のパイプを偏心もしくは内接し、
一方のパイプを液体吸排用とし、他方のパイプを密封容器内の大気開放用とする。
【００１３】
請求項１０に記載のごとく、密封容器を密封する栓体を貫通して、前記密封容器内で液体吸排する液体吸排ノズルにおいて、
液体吸排ノズルの側面より、該液体吸排ノズルの内部空間に達した孔を設け、液体吸排ノズルの内部空間において、該孔より下方の該孔に連通した空間容積を０．５μｌ以下、
もしくは該孔より下方の該孔に連通した空間の底面までの距離を、該孔より下方１ｍｍ以内とする。
【００１４】
請求項１１に記載のごとく、密封容器を密封する栓体を貫通して、前記密封容器内で液体吸排する液体吸排ノズルにおいて、
液体吸排ノズルの側面より、該液体吸排ノズルの内部空間に達した孔を設け、
該液体吸排ノズルの内部空間底面と内部空間内側面とを曲面で接続する。
【００１５】
請求項１２に記載のごとく、液体吸排ノズルが密封容器を密封する栓体を貫通し、密封容器内を大気圧にするとともに、密封容器内において液体を吸引もしくは排出する液体吸排装置であって、
液体吸排ノズルを密封容器内に挿入するに、該液体吸排ノズルに設けた２つの大気開放用孔の間に栓体が位置する状態において、該液体吸排ノズルを栓体に対して一端停止させる液体吸排装置を構成する。
【００１６】
【発明の実施の形態】
次に本発明の実施の形態を説明する。
図１は、血液検査装置の全体図、図２は血液検査装置の内部構成を示す模式図である。
本発明の検体吸引管を利用する装置の一例として、血液検査装置を用いて説明する。この血液検査装置は、本体部１０と、サンプル供給部１１とにより構成されており、本体部１０には、分析された測定値を出力するプリント部１４と、表示部１３等が設けられている。
【００１７】
そして、細管ユニット１９と、ポンプシャーシ部２０と、本体部１０の内部に構成された反応検出部２２と、デバブラを配置したデバブラベース２１と、デガッサ２３等の部分より構成されている。
また、血液検査装置の側方には複数個のボトルにより構成されるボトルユニット１２が配置されており、これらは、ＳＴＤ液用ボトル１８、洗浄液ボトル１５、緩衝液ボトル１６、排液ボトル１７等により構成される。
サンプル供給部１１には、密封容器である真空採血管１が連続的にセットされている。真空採血管１の内部には検体である血液４が入っており、この血液を試料として検体吸引管により採取する。そして、サンプル供給部１１において連続的に供給されてくる血液４の入った真空採血管１から、細管ユニット１９によりサンプリングを行うものである。
【００１８】
血液検査装置の本体内部には、ボトルユニット１２の液を各部に供給するポンプシャーシ２０が構成されている。反応排出部２２の内部には、洗浄槽２５と反応槽２４が配置されている。該洗浄槽２５から反応槽２４への流路内には、開閉電磁弁９が配置されている。
ボトルユニット１２の部分には、ＳＴＤ液用ボトル１８と洗浄液ボトル１５と緩衝液ボトル１６と排液ボトル１７が配置されている。
【００１９】
血液検査装置においては、サンプル供給部１１において連続的に配置され、供給される真空採血管の内部に、細管ユニット１９のサンプリング細管１を貫通させる。該サンプリング細管１により血液４を吸引し、洗浄槽２５の部分で該サンプリング細管１の外側に付着した余分な血液を洗浄する。
そして、精密に一定量を採取された検体が反応槽２４に供給され、開閉電磁弁９・２６・１３２の開放により、混合された検体が排出される。
【００２０】
該反応槽２４には、緩衝液ボトル１６から精密に一定量を測定された緩衝液が、デガッサ２３とデバブラベース２１を介して開閉電磁弁２６の開閉により供給される。該反応槽２４において、検体成分の測定が行われて、プリント部１４や表示部１３に表示されるのである。
ポンプシャーシ部２０においては、往復動ピストン式のポンプが４基配置されており、緩衝液ポンプ２７は、緩衝液ボトル１６内の緩衝液を吸引・供給するポンプであり、洗浄液ポンプ２８は、洗浄液ボトル１５内の洗浄液を、吸引ノズル３に供給するポンプである。また、ＳＴＤ液ポンプ２９は、ＳＴＤ液用ボトル１８内のＳＴＤ液を洗浄槽２５の部分に供給するポンプである。廃液ポンプ３０は、排液ボトル１７内へ、分析終了後の排液を排出するポンプである。
【００２１】
図３に示す検体吸引機構は、検体吸引管であるサンプリング細管１を有し、このサンプリング細管１は吸引針昇降機構により昇降駆動するようになっている。
サンプリング細管１は、密封容器の栓体４０を貫通できるように先端が尖っている。このサンプリング細管１の先端側には側方に開口する吸引孔４が設けられており、栓体４０に突刺す際の目詰まりが回避される構造となっている。
そして、吸引孔４からは検体吸引ポンプ５の駆動により検体が吸引され、図示しない分析装置に供給されるようになっている。
【００２２】
次に、液体吸排ノズルであるサンプリング細管１の動作機構について、図３および図４を用いて説明する。なお、サンプリング細管１は流体の吸引もしくは注入を行うことが可能であり、本実施例においては流体として液体吸引する構成を用いて説明する。
図３はサンプリング細管挿入前の動作機構を示す図、図４はサンプリング細管挿入時の動作機構を示す図である。
サンプリング細管１を、ホルダ３６を介して昇降台３５により保持し、昇降自在に構成している。
装置本体にモータ３１を配設し、モータ３１の出力軸にプーリ３２を挿嵌固定する。プーリ３２の上方にプーリ３４を配設し、プーリ３２とプーリ３４にベルト３３を巻架する。そして、ベルト３３に昇降台３５を固設し、モータ３１の駆動により、昇降台３５を上下に移動可能とする。これにより、サンプリング細管１の上下位置を制御するものである。
そして、図視においてコ字形の支持部材３７が昇降自在に設けられている。支持部材３７の一端は下方に延出しており、先端に押えブロック３９を取り付けている。支持部材３７の他端は昇降台３５の上面に当接しており、昇降台３５と当接した状態において昇降台３５と共に昇降可能となっている。
【００２３】
支持部材３７とホルダ３６とは、スプリング３８により接続されている。昇降台３５が下降すると、押え用ブロック３９が密封容器４１の栓体４０に当接し、支持部材３７が停止する。昇降台３５はスプリング３８を伸ばしながらさらに降下し、サンプリング細管１が栓体４０を貫通し、検体に到達する。そして、サンプリング細管１により検体を採取する。
この後に、昇降台３５を上昇させると、サンプリング細管１が密封容器４１より引き抜かれ、押えブロック３９と共に上昇する。この際に、押えブロック３９が栓体４０を下方に押えつけるので、サンプリング細管１を栓体４０より容易に引き抜くことができるものである。
【００２４】
次に、サンプリング細管１の構成について、図５および図６を用いて説明する。
図５はサンプリング細管の圧力調整機構を示す図、図６はサンプリング細管の構造を示す側面断面図である。
サンプリング細管１はインナーパイプ５１およびアウターパイプ５２により構成するものである。インナーパイプ５１はアウターパイプ５２より小径に構成されており、インナーパイプ５１をアウターパイプ５２内に挿入して、アウターパイプ５１の下部開放端をインナーパイプ５１により閉じる構成としている。
すなわち、液体吸排ノズルであるサンプリング細管１において、アウターパイプ５２の内側が内部空間となり、この内部空間がインナーパイプ５１により仕切られ、インナーパイプ５１内の空間およびアウターパイプ５２の内側であってインナーパイプ５１の外側の空間が構成されている。
インナーパイプ５１は下端において膨らみをもたせて閉じ、この膨らみをもたせた部分においてアウターパイプ５２の下端を閉じるものである。なお、膨らみをもたせた部分の外径はアウターパイプ５２の外径と一致しているものである。インナーパイプ５１の上端はアウターパイプ５２の外側に突出しており、検体吸引ポンプ５に接続される。すなわち、インナーパイプ５１は下端部より上部において外側面をアウターパイプ５２に被装される構成となっている。
インナーパイプ５１の下端側部には吸引孔４が開口しており、サンプリング細管１を栓体４０に突刺す際の目詰まりを回避する構造となっている。
【００２５】
アウターパイプ５２の下部には下部大気開放用孔５７が設けられており、中央部には上部大気開放用孔５８が設けられている。下部大気開放用孔５７および上部大気開放用孔５８とはアウターパイプ５２の内側において連通して構成となっている。すなわち、アウターパイプ５２に大気開放用の孔を設けるものである。
そして、アウターパイプ５２の上端は、ダンパ５３を介して電磁弁５４に接続されている。電磁弁５４は、大気開放側経路５５もくは洗浄ポンプ側経路５６に接続可能に構成されている。また、ダンパ５３はアウターパイプ５２と電磁弁５４を接続する経路において、十分に大きな容積を有するものである。
【００２６】
押えブロック３９の内側には空間３９ｂが設けられており、空間３９ｂは大気開放されているものである。そして、サンプリング細管１の挿入時にアウターパイプ５２の上部大気開放用孔５８と空間３９ｂとが通じる構成となっている。
押えブロック３９が栓体４０を押え、サンプリング細管１が密封容器４１内に挿入される過程において、上部大気開放用孔５８と空間３９ｂとが通じるものである。
すなわち、サンプリング細管１による検体採取の際に、密封容器４１内は下部大気開放用孔５７、上部大気開放用孔５８および押えブロック３９の空間３９ｂを通じて、大気開放されるものである。
【００２７】
次に、図７を用いて密封容器４１内の大気開放過程について説明する。
図７はサンプリング細管による大気開放過程を示す図である。図７（ａ）はサンプリング細管挿入前の状態を示す図、図７（ｂ）はサンプリング細管挿入途中の状態を示す図、図７（ｃ）は検体採取状態を示す図である。
まず、図７（ａ）に示すごとく、サンプリング細管１は押えブロック３９と共に密封容器４１に向け降下する。そして、押えブロック３９が栓体４０に当接し、図７（ｂ）に示すごとく、サンプリング細管１が栓体４０を突き通し密封容器４１内に挿入される。
この際に、サンプリング細管１の下部大気開放用孔５７が密封容器４１内にあり、上部大気開放用孔５８が押えブロック３９の空間３９ｂに位置する。これにより、密封容器４１内が大気開放される。
サンプリング細管１の下部大気開放用孔５７および上部大気開放用孔５８は、密封検体容器４１の栓体４０に貫通させた際に、下部大気開放用孔５７が密封検体容器４１内に位置し、上部大気開放用孔５８が密封検体容器外に位置するように構成されているので、検体吸引動作において、円滑に密封容器４１内を大気開放することができる。
【００２８】
サンプリング細管１が密閉容器を貫通し、下部大気開放用孔５７が密封容器４１内であり、上部大気開放用孔５８が容器外に位置した状態で、サンプリング細管１が一時下降を停止することにより、効率良く密封容器４１内を大気開放することができる。
サンプリング細管１を密封容器４１内に挿入する際に、該サンプリング細管１に設けた、２つの大気開放用孔である上部大気開放用孔５８と下部大気開放用孔５７との間に、栓体４０が位置する状態において、サンプリング細管１を栓体４０に対して、一端停止させるものである。サンプリング細管１を停止させる時間としては、密封容器４１内の圧力差が十分に解消される時間であればよく、特に限定されるものではない。
密封容器４１内の気圧が、大気圧と異なる場合には、上部大気開放用孔５８と下部大気開放用孔５７との間に栓体４０が位置すると、上部大気開放用孔５８と下部大気開放用孔５７を介して空気の出入が生じる。
空気の流出もしくは流入は、サンプリング細管１を通って行われる。空気が細いサンプリング細管１内を移動するため、空気の流動抵抗が大きくなる。そして、密封容器４１内の気圧を大気圧に戻すには、流動抵抗により一定の時間が必要となる。
そこで、密封容器４１内が外気と連通した状態で、サンプリング細管１を一端停止させることにより、十分な空気の流出入を行い、密封容器４１内の気圧を大気圧に戻すものである。
これにより、確実に密封容器４１内の圧力を大気圧にすることができ、液体に吸入量もしくは吐出量の精度を向上できる。
さらに、サンプリング細管１を一端とめるので、上部大気開放用孔５８と下部大気開放用孔５７との間隔を短く構成でき、大気開放時の空気の流動抵抗を低減し、円滑な大気開放を行うことができる。そして、密封容器４１の大気開放の際に、下部大気開放用孔５７を、密封容器４１の上部に位置させた状態で大気開放でき、下部大気開放用孔５７への検体の流入を阻止できる。
【００２９】
そして、図７（ｃ）に示すごとく、サンプリング細管１が試料に到達し、サンプリング細管１の吸引孔４より試料を吸引採取する。この場合に下部大気開放用孔５７および上部大気開放用孔５８が密封容器４１内に位置する。
この状態において、密封容器４１内は下部大気開放用孔５７および上部大気開放用孔５８によりダンパ５３もしくは大気開放側経路に接続されるものである。これにより、サンプリング細管１の上下による密封容器４１内の圧力変動を解消できるものである。そして、試料採取の精度を向上できるものである。
なお、押え用ブロック３９はノズル外壁洗浄用ブロックを兼ねたものである。
【００３０】
次に、図８を用いて大気開放経路の洗浄機構について説明する。
図８は大気開放経路の洗浄機構を示す模式図である。
洗浄液ボトル６７はバルブ６４を解して洗浄ポンプ２８および検体吸引ポンプ５に接続されている。検体吸引ポンプ５はバルブ６３を介して吸引口４およびバルブ６１・６２に接続している。バルブ６１は大気開放側の経路とダンパ５３を介して下部大気開放用孔５７および上部大気開放用孔５８に接続している。そして、バルブ６２は廃液ポンプ３０およびドレイン側経路に接続している。
このような構成において、急激な圧力変化により下部大気開放用孔５７に試料が流入し、試料が大気開放経路に流入しても、ダンパ５３を配設することにより、試料の流出を防止でき、ダンパ５３を経路内径より十分大径に構成することにより液溜まり部とすることもできるものである。
そして、バルブ６１を介してダンパ５３および下部大気開放用孔５７および上部大気開放用孔５８に洗浄液を供給することも可能であり、大気開放用配管の洗浄を行うこともできる。
【００３１】
次に、サンプリング細管１の他の実施例について説明する。
図９はサンプリング細管の第二実施例を示す図である。図９（ａ）は第二実施例であるサンプリング細管の側面断面図であり、図９（ｂ）は第二実施例であるサンプリング細管のＡ−Ａ線断面図である。
第二実施例において、サンプリング細管１はインナーパイプ５１およびアウターパイプ５２、そして先端に取り付けられる円錐体７１により構成されている。インナーパイプ５１はアウターパイプ内の略軸芯上に配設されており、下端において径を大きくしてアウターパイプ５１と同径とし、アウターパイプ５１の下端を閉ざした構成となっている。
インナーパイプ５１の下端部には吸引孔４が開口しており、下端面には円錐体が頂点部を下方した状態で固定されている。
アウターパイプ５２の下部には下部大気開放用孔５７、中央部には上部大気開放用孔５８が設けられている。
このように構成したサンプリング細管１において、円錐体７１により密封容器４１の栓体４０を突刺し、サンプリング細管１の側方に設けた吸引孔４により検体を採取するものである。
【００３２】
次に、サンプリング細管１の第三実施例について説明する。
図１０は第三実施例であるサンプリング細管の側面断面図である。図１０（ａ）は第三実施例であるサンプリング細管の側面断面図であり、図１０（ｂ）は第三実施例であるサンプリング細管のＢ−Ｂ線断面図である。
第三実施例において、サンプリング細管１はインナーパイプ５１およびアウターパイプ５２により構成されている。インナーパイプ５１は真直ぐのパイプにより構成されており、インナーパイプ５１の内径はアウターパイプ５２の内径より小さく構成されている。インナーパイプ５１の上端部は、アウターパイプ５２の外側に突出しており、中央部以下はアウターパイプ５２の内壁に接した状態で配設されている。そして、インナーパイプ５１の下端はアウターパイプ５１の開口部まで延出された構成となっている。インナーパイプ５１の下端は下方に開口しており、この開口部を吸引孔４として試料を吸引採取するものである。
【００３３】
アウターパイプ５２の下端開口面は延出方向に対して斜めに開口した構成となっており、下端開口部においてアウターパイプ５２の内壁とインナーパイプ５１の外面との間には封止材７２が詰められている。これにより、アウターパイプ５２の下端開口部とアウターパイプ５２内との連通が閉ざされるものである。
そして、アウターパイプ５２の下側部には下部大気開放用孔５７が設けられ、中央部に上部大気開放用孔５８が設けられている。
このように、サンプリング細管１を構成することにより、下部大気開放用孔５７および上部大気開放用孔５８により密封容器４１内に圧力変動を解消できるものである。
【００３４】
次に、サンプリング細管１の第四実施例について説明する。
図１１は第四実施例であるサンプリング細管の構成を示す図である。図１１（ａ）は第四実施例であるサンプリング細管の側面断面図であり、図１１（ｂ）は第四実施例であるサンプリング細管のＣ−Ｃ線断面図である。
第四実施例において、サンプリング細管１はインナーパイプ５１およびアウターパイプ５２により構成されている。インナーパイプ５１は真直ぐのパイプにより構成されており、インナーパイプ５１の内径はアウターパイプ５２の内径より小さく構成されている。図示しないインナーパイプ５１の上端部は、アウターパイプ５２の外側に突出しており、中央部以下はアウターパイプ５２の内壁に接した状態で配設されている。そして、インナーパイプ５１の下端はアウターパイプ５１の開口部まで延出された構成となっている。インナーパイプ５１の下端は下方に開口しており、この開口部を吸引孔４として試料を吸引採取するものである。
【００３５】
アウターパイプ５２の下端開口面は延出方向に対して斜めに開口した構成となっており、下端開口部においてアウターパイプ５２の内壁とインナーパイプ５１の外面との間が下部大気開放用孔５７となっている。
アウターパイプ５２の中央部もしくは上部に上部大気開放用孔を設けることも可能であり、大気開放経路に配設したダンパもしくは大気開放された経路を利用して、密封容器内の圧力を大気開放することも可能である。
このように、サンプリング細管１を構成することにより、容易な構成により密封容器内の圧力を大気開放することが可能であり、密封容器４１内に圧力変動を解消できるものである。
【００３６】
次に、サンプリング細管１の第五実施例について説明する。
図１２は第五実施例であるサンプリング細管の側面断面図、図１３は第五実施例であるサンプリング細管の断面図、図１３（ａ）はサンプリング細管のＡ−Ａ線断面図、図１３（ｂ）は同じくＢ−Ｂ線断面図である。
第五実施例において、サンプリング細管１はインナーパイプ５１およびアウターパイプ５２により構成されている。インナーパイプ５１は真直ぐのパイプにより構成されており、インナーパイプ５１の外径はアウターパイプ５２の内径より小さく構成され、インナーパイプ５１はアウターパイプ５２内に挿入されている。図示しないインナーパイプ５１の上端部は、アウターパイプ５２の外側に突出しており、中央部以下はアウターパイプ５２の内壁に接した状態で配設されている。そして、インナーパイプ５１の下端はアウターパイプ５１の開口部まで延出された構成となっている。
サンプリング細管１において、インナーパイプ５１はアウターパイプ５２に内接もしくは偏心した位置に配設されている。
【００３７】
インナーパイプ５１およびアウターパイプ５２の下端は封止部材７３により閉ざされた構成となっている。インナーパイプ５１の下端は、アウターパイプ５２の下端より下方に位置しており、封止部材７３がアウターパイプ５２より突出したインナーパイプ５１の下端および、アウターパイプ５２の下端面に固設しているものである。
サンプリング細管１の下端側部には吸引孔４が開口しており、吸引孔４を介してサンプリング細管１の外とインナーパイプ５１の内側とが連通する構成となっている。吸引孔４は封止部材７３およびインナーパイプ５１に渡って構成れるものであり、サンプリング細管１の下部において封止部材７３およびインナーパイプ５１を貫通した構成となっている。なお、吸引孔４はインナーパイプ５１の下端面の近傍に設けられており、インナーパイプ５１内において吸引孔４の開口部と封止部材７３により封止面が近接した構成になっている。
【００３８】
アウターパイプ５２の下側部には下部大気開放用孔５７が設けられ、この下部大気開放用孔５７の上方に上部大気開放用孔５８が設けられている。下部大気開放用孔５７と上部大気開放用孔５８との間隔は、密封容器４１の栓体４０の全長より離れた構成となっている。
下部大気開放用孔５７はアウターパイプ５２の下端面の近傍に設けられているものである。そして、アウターパイプ５２内において下部大気開放用孔５７の開口部と封止部材７３による封止面が近接した構成になっている。
インナーパイプ５１はアウターパイプ５２に内接もしくは偏心した位置にあるので、吸引孔４の長さを短くでき、吸引時における流動抵抗を軽減できると共に、吸引孔４の加工時における労力が軽減される。また、下部大気開放用孔５７と上部大気開放用孔５８とを接続する空間において、下部大気開放用孔５７と上部大気開放用孔５８の近傍の空間を大きく取り、大気開放時の流動抵抗を低減できる。
【００３９】
さらに、第五実施例において、サンプリング細管１の洗浄効率を向上させる構成について説明する。
図１４は封止部材とインナーパイプおよびアウターパイプとの接続部の構成を示す図、図１４（ａ）は吸引孔と封止部材との関係を示す側面断面図、図１４（ｂ）はインナーパイプと封止部材との接続部分の構成を示す側面断面図である。図１４（ａ）において、インナーパイプ５１の吸引孔４の下端から、封止部材７３のインナーパイプ５１を閉じる面との間のクロスハッチで示される空間を空間Ａとする。そして、下部大気開放用孔５７の下端からアウターパイプ５２を閉じる面との間のクロスハッチで示される空間を空間Ｂとする。
インナーパイプ５１において、検体液は吸引孔４から上方に吸い込まれ、洗浄液は上方から供給され吸引孔４から排出される。このため、インナーパイプ５１において、空間Ａの洗浄効率が低くなる可能性がある。アウターパイプ５２においても同様である。
そこで、吸引孔４の下端から封止部材７３のインナーパイプ５１を閉じる面までの高さおよび下部大気開放用孔５７の下端から封止部材のアウターパイプ５２を閉じる面までの高さをそれぞれ１ｍｍ以下とし、空間Ａの容積を０．２μｌ以下、空間Ｂの容積を０．５μｌとするものである。
これにより、インナーパイプ５１内およびアウターパイプ５２の洗浄不良を解消でき、洗浄にかかる時間および洗浄液の量を軽減できる。
【００４０】
また、サンプリング細管１の洗浄性を向上させる方法として、図１４（ｂ）に示すごとく、パイプと封止部材７３との接続部を滑らかに構成するものである。吸引孔４の下端とインナーパイプ５１の底となる封止部材７３の面を曲面で接続し、インナーパイプ５１内の下端角部を埋めることにより、インナーパイプ５１の底部に洗浄液を導入し易くなる。これにより、サンプリング細管１の洗浄性を向上させるものである。
アウターパイプ５２とこれを閉じる封止部材７３とにおいても、同様のことが成り立ち、下部大気開放用孔５７の下端とアウターパイプ５２の底となる封止部材７３の面を曲面で接続することにより、サンプリング細管１の洗浄性を向上できるものである。
すなわち、液体吸排ノズルであるサンプリング細管１の下部側面より、サンプリング細管１の内部空間となるインナーパイプ５１内もしくはアウターパイプ５２内に達する孔（吸引孔４、下部大気開放用孔５７）を設け、インナーパイプ５１内の底面と、内部空間内側面となるインナーパイプ５１内側面とを、曲面で接続するものである。また、アウターパイプ５２内の底面と、内部空間内側面となるアウターパイプ５２内側面とを、曲面で接続するものである。
なお、曲面の曲率は、サンプリング細管１により吸排される液体の流動性、表面張力などの性質により決定することが可能である。また、様々な液体の対応可能とすべく、インナーパイプ５１内の底面と、内部空間内側面となるインナーパイプ５１内側面とを接続可能な曲面であって、できるだけ曲率を小さくして緩やかな曲面により接続することにより、インナーパイプ５１内における液体の残存を抑制し、液体の流動抵抗を低減し、洗浄効率を向上するとともに、サンプリング量の精度を向上可能となる。また、アウターパイプ５２内の底面と、内部空間内側面となるアウターパイプ５２内側面とを接続する曲面においても同様である。
【００４１】
次に、サンプリング細管１の第六実施例について説明する。
図１５は第六実施例であるサンプリング細管の構成を示す図、図１５（ａ）はサンプリング細管の側面断面図、図１５（ｂ）は同じくＡ−Ａ線断面図である。第六実施例において、サンプリング細管１はインナーパイプ５１およびアウターパイプ５２により構成されている。インナーパイプ５１は真直ぐのパイプにより構成されており、インナーパイプ５１の外径はアウターパイプ５２の内径より小さく構成されている。図示しないインナーパイプ５１の上端部は、アウターパイプ５２の外側に突出しており、中央部以下はアウターパイプ５２の内壁に接した状態で配設されている。そして、インナーパイプ５１の下端はアウターパイプ５１の開口部まで延出された構成となっている。
サンプリング細管１において、インナーパイプ５１はアウターパイプ５２に内接もしくは偏心した位置に配設されている。
【００４２】
インナーパイプ５１およびアウターパイプ５２の下端は封止部材７３により閉ざされた構成となっている。インナーパイプ５１の下端は、アウターパイプ５２の下端より下方に位置しており、封止部材７３がアウターパイプ５２より突出したインナーパイプ５１の下端および、アウターパイプ５２の下端面に固設しているものである。
サンプリング細管１の下端側部には吸引孔４が開口しており、吸引孔４を介してサンプリング細管１の外とインナーパイプ５１の内側とが連通する構成となっている。吸引孔４は封止部材７３およびインナーパイプ５１に渡って構成れるものであり、サンプリング細管１の下部において封止部材７３およびインナーパイプ５１を貫通した構成となっている。
吸引孔４はインナーパイプ５１の下端面の近傍に設けられており、インナーパイプ５１内において、封止部材７３が吸引孔４の最下部に達した構成となっている。すなわち、インナーパイプ５１内の空間において最下部が吸引孔４に連通した構成となっており、吸引孔４の下方に空間が無く、インナーパイプ５１内にサンプルや洗浄液が残りにくく、インナーパイプ５１の洗浄効率が向上するものである。
【００４３】
アウターパイプ５２の下側部には下部大気開放用孔５７が設けられ、中央部に上部大気開放用孔５８が設けられている。下部大気開放用孔５７アウターパイプ５２の下端面の近傍に設けられているものである。そして、アウターパイプ５２内において、封止部材７３が下部大気開放用孔５７の下端部に達した構成になっている。これにより、アウターパイプ５２内の空間において最下部が下部大気開放用孔５７に連通した構成となっており、アウターパイプ５２内にサンプルや洗浄液が残りにくく、洗浄効率が向上する。
【００４４】
発明の実施形態では、密封容器内の液体の吸引をする場合について説明したが、密封容器内の圧力を大気圧にすることにより、前記密封内から液体を吸引する際に定量性が向上するのみならず、前記密封容器内へ液体を吐出する場合にも定量性が向上する効果がある。
【００４５】
【発明の効果】
請求項１に記載のごとく、密封容器を密封する栓体を貫通して、前記密封容器内で液体吸排する液体吸排ノズルにおいて、
前記液体吸排ノズルは大径のパイプ内に小径のパイプを配設し、一方のパイプを液体吸排用とし、他方のパイプを密封容器内の大気開放用とするので、
液体吸排ノズルの側面形状を円形に維持することができ、Ｏリングなどの従来のシール材を流用可能となり、信頼性および耐久性を維持しながら製造コストを軽減できる。
また、液体吸排ノズルをシンプルな構成とすることができ、大気開放用の構成を有しながら、栓体を貫通させる際の抵抗を増大させることがない。また、１つに液体吸排ノズルに液体吸排を行うパイプと大気開放を行うパイプを有するので、液体吸排ノズルを駆動する機構を簡便に構成できる。
【００４６】
請求項２に記載のごとく、前記小径パイプを液体吸排用とし、前記大径のパイプを大気開放用とするので、
容易な構成により、一つの液体吸排ノズルに大気開放機能を持たせることが可能である。また、栓体を貫通する際に大気開放用孔が目詰まりし難い。
さらに、液体吸排ノズルの側面形状を円形に維持することができ、従来の部材流用可能となり製造コストを軽減できる。
流体試料の採取もしくは注入前に、密封容器の内側と外側の圧力差を解消するので、定量性が向上する。
【００４７】
請求項３に記載のごとく、前記大径パイプの側面に複数の孔を有するものとするので、
大気開放用の複数の孔により、確実に密封容器内を大気開放することができる。さらに、液体吸排の過程において、円滑に密封容器内を大気開放することができる。
【００４８】
請求項４に記載のごとく、前記大径パイプの側面に複数の孔を有し、前記液体吸排ノズルが前記密封容器の栓体を貫通した状態で少なくとも一つの孔が前記密封容器内部に、他の孔の少なくとも一つが前記栓体の外側になるように配置するので、
確実に密封容器内を大気開放することができる。さらに、液体吸引もしくは排出の過程において、円滑に密封容器内を大気開放することができる。
【００４９】
請求項５に記載のごとく、大径のパイプ内に小径のパイプを配設し、一方のパイプを液体吸排用とし、他方のパイプを密封容器内の大気解放用とする液体吸排ノズルを有し、前記液体吸排ノズルが密封容器を密封する栓体を貫通し、密封容器内を大気圧にする液体吸排装置を構成するので、
試料の採取精度を向上でき、液体吸排装置の精度を向上できる。
【００５０】
請求項６に記載のごとく、前記大気開放用パイプの側面に孔を有する液体吸排装置を構成するので、
確実に密封容器内を大気開放する液体吸排装置を構成できる。さらに、試料採取量の精度を向上できる。
【００５１】
請求項７に記載のごとく、前記大気開放用パイプの側面に複数の孔を有し、前記液体吸排ノズルが前記密封容器の栓体を貫通したときに、少なくとも一つの孔が前記密封容器内にあり、残りの孔のうち少なくとも一つが前記密封容器の外部にあり、前記密封容器内の圧力を大気圧にする液体吸排装置を構成するので、
確実に密封容器内を大気開放する液体吸排装置を構成できる。さらに、試料採取量の精度を向上できる。
【００５２】
請求項８に記載のごとく、前記大気開放用パイプに接続する配管部にダンパ部を配置する液体吸排装置を構成するので、
確実に密封容器内を大気開放する液体吸排装置を構成できる。さらに、大気開放を円滑に行うことができ、試料採取量の精度を向上できる。
【００５３】
請求項９に記載のごとく、密封容器を密封する栓体を貫通して、前記密封容器内で液体吸排する液体吸排ノズルにおいて、
前記液体吸排ノズルは大径のパイプ内に小径のパイプを配設し、
該大径のパイプに対して該小径のパイプを偏心もしくは内接し、
一方のパイプを液体吸排用とし、他方のパイプを密封容器内の大気開放用とするので、
液体吸排ノズルに小径のパイプに連通する孔を構成する際に、該孔の長さを短くでき、吸排時における流動抵抗を軽減できると共に、該孔の加工時における労力を軽減できる。
また、大径のパイプ内の空間において、壁面の流動抵抗の影響をうけにくい部分を大きくとることができ、大径のパイプ内の空間を大気開放に利用する際に、空気の流動抵抗を低減できる。
【００５４】
請求項１０に記載のごとく、密封容器を密封する栓体を貫通して、前記密封容器内で液体吸排する液体吸排ノズルにおいて、
液体吸排ノズルの側面より、該液体吸排ノズルの内部空間に達した孔を設け、
液体吸排ノズルの内部空間において、該孔より下方の該孔に連通した空間容積を０．５μｌ以下、
もしくは該孔より下方の該孔に連通した空間の底面までの距離を、該孔より下方１ｍｍ以内とするので、
液体吸排ノズル内に残存する液量を減少できるので、液体吸排ノズルによる液の吸排量の精度を向上できる。
さらに、液体吸排ノズル内の洗浄性を向上でき、洗浄不良の発生を抑制できる。洗浄にかかる時間を短縮できるとともに、洗浄に必要となる洗浄液の量を軽減できる。
【００５５】
請求項１１に記載のごとく、密封容器を密封する栓体を貫通して、前記密封容器内で液体吸排する液体吸排ノズルにおいて、
液体吸排ノズルの側面より、該液体吸排ノズルの内部空間に達した孔を設け、
該液体吸排ノズルの内部空間底面と内部空間内側面とを曲面で接続するので、液体吸排ノズルの内部空間における液体の残存を抑制し、液体の流動抵抗を低減できる。これにより、液体サンプルの吸排量の精度を向上できるとともに、洗浄液の導入を円滑にして洗浄効率を向上できる。
【００５６】
請求項１２に記載のごとく、液体吸排ノズルが密封容器を密封する栓体を貫通し、密封容器内を大気圧にするとともに、密封容器内において液体を吸引もしくは排出する液体吸排装置であって、
液体吸排ノズルを密封容器内に挿入するに、該液体吸排ノズルに設けた２つの大気開放用孔の間に栓体が位置する状態において、該液体吸排ノズルを栓体に対して一端停止させる液体吸排装置を構成するので、
確実に密封容器内の圧力を大気圧にすることができ、液体に吸入量もしくは吐出量の精度を向上できる。さらに、液体吸排ノズルに設ける２つの大気開放用孔の間隔を短く構成でき、大気開放時の空気の流動抵抗を低減し、円滑な大気開放を行うことができる。そして、密封容器の大気開放の際に、大気開放用孔を、密封容器の上部に位置させた状態で大気開放でき、大気開放用孔への検体の流入を阻止できる。
【図面の簡単な説明】
【図１】血液検査装置の全体図。
【図２】血液検査装置の内部構成を示す模式図。
【図３】サンプリング細管挿入前の動作機構を示す図。
【図４】サンプリング細管挿入時の動作機構を示す図。
【図５】サンプリング細管の圧力調整機構を示す図。
【図６】サンプリング細管の構造を示す側面断面図。
【図７】サンプリング細管による大気開放過程を示す図。
【図８】大気開放経路の洗浄機構を示す模式図。
【図９】サンプリング細管の第二実施例を示す図。
【図１０】第三実施例であるサンプリング細管の側面断面図。
【図１１】第四実施例であるサンプリング細管の構成を示す図。
【図１２】第五実施例であるサンプリング細管の側面断面図。
【図１３】第五実施例であるサンプリング細管の断面図。
【図１４】封止部材とインナーパイプおよびアウターパイプとの接続部の構成を示す図。
【図１５】第六実施例であるサンプリング細管の構成を示す図。
【符号の説明】
１　サンプリング細管
４　吸引孔
３９　押えブロック
４０　栓体
４１　密封容器
５１　インナーパイプ
５２　アウターパイプ
５７　下部大気開放用孔
５８　上部大気開放用孔
【図１】
2004003916.tif 000003
【図２】
2004003916.tif 000004
【図３】
2004003916.tif 000005
【図４】
2004003916.tif 000006
【図５】
2004003916.tif 000007
【図６】
2004003916.tif 000008
【図７】
2004003916.tif 000009
【図８】
2004003916.tif 000010
【図９】
2004003916.tif 000011
【図１０】
2004003916.tif 000012
【図１１】
2004003916.tif 000013
【図１２】
2004003916.tif 000014
【図１３】
2004003916.tif 000015
【図１４】
2004003916.tif 000016
【図１５】
2004003916.tif 000017